(57)【特許請求の範囲】
【請求項１】
水平配置される所定長のパイプと、該パイプの両端に固着された取付け板部と、該各取付け板部の基側下部に水平ピンを介して取付けられたロック金具とを備え、所定間隔で配置され、平面視してコ字状の曲板材からなる掛止金具が設けられた仮設支柱に取付けられる仮設用手摺りであって、
前記各取付け板部は、基側に切欠きを有し、前記パイプの端部を前記切欠きに挿入させた状態で溶接して、前記パイプに連結され、
更に、前記各取付け板部は、対向する辺が平行となった逆Ｕ字状の溝部を有し、該溝部の先側には前記掛止金具に上から嵌入して該掛止金具の下から露出する鉤爪部を備え、
しかも、前記ロック金具は平面視してＵ字状となって、該Ｕ字状となった溝に前記取付け板部が嵌入し、前記水平ピンを介して水平状態から一方向に回動可能に前記取付け板部と連結され、更に、前記ロック金具はその重心が前記水平ピンを基準にして先側にあると共に、前記ロック金具の前記水平ピンより基側には、前記ロック金具の先部が自重によって他方向に回動するのを防止するストッパーが設けられて、前記ロック金具は前記取付け板部の前記溝部を跨がって水平状態となっており、前記取付け板部を引き上げると前記ロック金具の上端が前記掛止金具の下端に当たって、前記鉤爪部が前記掛止金具から抜けるのを防止するロック状態に常時保持され、前記ロック金具のロック状態の解除は、前記ロック金具の先部を水平状態から一方向に回動することによって行われることを特徴とする仮設用手摺り。
【発明の詳細な説明】
【技術分野】
【０００１】
本発明は、建築現場等での仮設足場に立設された仮設支柱に設けられた掛止金具に連結する手摺りに係り、例えば、先行手摺りが設けられていない部分をカバーするためにも使用可能な仮設用手摺りに関する。
【背景技術】
【０００２】
従来、建築現場での仮設足場を構築するために、特許文献１の図１、図２に示すように、支柱の周囲に、取付け高さを変えて、平面視してコ字状の曲板材からなる掛止金具が設けられ、この掛止金具に、特許文献１の図７に記載のような掛止爪（鉤爪部）を有する踏板や、手摺り等を取付けていた。
また、特許文献１の図４に示すように、楔を掛止金具に嵌入させて、手摺りや踏板等を固定することも行われている。
【先行技術文献】
【特許文献】
【０００３】
【特許文献１】特開２００２−３８７１１号公報
【発明の概要】
【発明が解決しようとする課題】
【０００４】
ところが、箱状の掛止金具に単に上から掛止爪や楔を嵌入させて仮設足場を組み立てる場合は、これらの掛止爪や楔は上方向には掛止金具から抜けるので、偏心荷重がかかった場合や、作業者が何らかの原因で手摺りを持ち上げた場合に、掛止金具から掛止爪や楔が外れて極めて危険な場合が生じる。
【０００５】
本発明は、かかる事情に鑑みてなされたもので、手摺りに上方向の荷重がかかっても容易に掛止金具から手摺りの先側にある取付け金具（即ち、掛止爪）が抜けない仮設用手摺りを提供することを目的とする。
【課題を解決するための手段】
【０００６】
前記目的に沿う本発明に係る仮設用手摺りは、水平配置される所定長のパイプと、該パイプの両端に固着された取付け板部と、該各取付け板部の基側下部に水平ピンを介して取付けられたロック金具とを備え、所定間隔で配置され、平面視してコ字状の曲板材からなる掛止金具が設けられた仮設支柱に取付けられる仮設用手摺りであって、
前記各取付け板部は、基側に切欠きを有し、前記パイプの端部を前記切欠きに挿入させた状態で溶接して、前記パイプに連結され、
更に、前記各取付け板部は、対向する辺が平行となった逆Ｕ字状の溝部を有し、該溝部の先側には前記掛止金具に上から嵌入して該掛止金具の下から露出する鉤爪部を備え、
しかも、前記ロック金具は平面視してＵ字状となって、該Ｕ字状となった溝に前記取付け板部が嵌入し、前記水平ピンを介して水平状態から一方向に回動可能に前記取付け板部と連結され、更に、前記ロック金具はその重心が前記水平ピンを基準にして先側にあると共に、前記ロック金具の前記水平ピンより基側には、前記ロック金具の先部が自重によって他方向に回動するのを防止するストッパーが設けられて、前記ロック金具は前記取付け板部の前記溝部を跨がって水平状態となっており、前記取付け板部を引き上げると前記ロック金具の上端が前記掛止金具の下端に当たって、前記鉤爪部が前記掛止金具から抜けるのを防止するロック状態に常時保持され、前記ロック金具のロック状態の解除は、前記ロック金具の先部を水平状態から一方向に回動することによって行われる。
【０００７】
【０００８】
【発明の効果】
【０００９】
本発明に係る仮設用手摺りにおいては、仮設支柱に設けられた掛止金具に上から嵌入して掛止金具の下から露出する鉤爪部を先側に備える取付け板部と、取付け板部の基側に設けられ、水平ピンを介して一方向に回動可能なロック金具とを有し、しかも、ロック金具は、鉤爪部が掛止から抜けるのを防止するロック状態に常時保持され、ロック金具の先部を一方向に（即ち、上方向に）回動して、ロック金具のロック状態が解除される。従って、ロック金具を自由状態にして、鉤爪部を上方に引っ張っても、ロック金具で鉤爪部の抜けが防止されているので、容易に鉤爪部が外れない。これによって、安全な仮設用手摺りを提供できる。
【００１０】
特に、ロック金具の重心が取付け板部に対して水平ピンより先側にあって、ロック金具の水平ピンより基側には、ロック金具の先部が自重によって他方向（即ち下方）に下がるのを防止するストッパーを設けたので、ロック金具周りの構造が簡略化される。
【図面の簡単な説明】
【００１１】
【図１】本発明の一実施の形態に係る仮設用手摺りの正面図である。
【図２】（Ａ）は同仮設用手摺りの平面図、（Ｂ）は同仮設用手摺りの正面図、（Ｃ）は同仮設用手摺りの底面図であり、（Ａ）、（Ｂ）、（Ｃ）において図面上省略した長さは７１９ｍｍである。
【図３】（Ａ）は同仮設用手摺りの側面図、（Ｂ）は図２（Ｂ）における矢視Ｑ−Ｑ’断面図、（Ｃ）は図２（Ａ）における矢視Ｐ−Ｐ’断面図である。
【図４】（Ａ）は同仮設用手摺りに使用する取付け板部の側面図、（Ｂ）はこの取付け板部の正面図である。
【図５】（Ａ）は同仮設用手摺りに使用するロック金具の平面図、（Ｂ）はこのロック金具の正面図である。
【発明を実施するための形態】
【００１２】
続いて、添付した図面を参照しながら、本発明を具体化した実施の形態について説明する。
図１、図２（Ａ）〜（Ｃ）、図３（Ａ）〜（Ｃ）に示すように、本発明の一実施の形態に係る仮設用手摺り１０は、鋼、ステンレス、又はアルミニウム合金等の比較的強度を有する材料からなって、所定長のパイプ（外径２１．７ｍｍ）１１と、パイプ１１の両端に固着された取付け金具１２、１３とを有している。以下、これらについて詳しく説明する。
【００１３】
図４（Ａ）、（Ｂ）に示すように、取付け金具１２（１３も同じ）は、パイプ１１の両端部がそれぞれ嵌入する切欠き１５を基側に備える取付け板部１４を有し、取付け板部１４の先側には、所定間隔で配置された仮設支柱１６の途中位置の周囲に設けられた掛止金具１７に上から嵌入する鉤爪部１８を備えている。この掛止金具１７は曲板材からなって平面視してコ字状に形成されている。鉤爪部１８の長さは長く、掛止金具１７の下端から、鉤爪部１８の全長の０．１〜０．３倍の長さだけ突出するように、掛止金具１７が嵌入する溝部２０が形成されている。これによって、鉤爪部１８が完全に掛止金具１７に嵌入していることを視認できる。
【００１４】
パイプ１１の両端部は、取付け板部１４の切欠き１５に嵌入させた状態で、溶接されている。２１、２２は溶接部を示す（図１、図２参照）。
左右の取付け板部１４の基側（即ち、パイプ中心側）下部には、貫通孔２４が設けられ、水平ピン２５を介して、ロック金具２６が設けられている。
図５（Ａ）、（Ｂ）に示すように、このロック金具２６は、平面視して（断面も同じ）Ｕ字状となって、貫通孔２４と同一内径の貫通孔２７を有している。Ｕ字状となった溝２８内に取付け板部１４が嵌入する状態で、水平ピン（かしめピンからなる）２５によってロック金具２６と取付け板部１４が連結されている。
【００１５】
ロック金具２６は、貫通孔２７より先側に全体の重心がある。また、取付け板部１４の基側には、ロック金具２６の溝底部２９が嵌入する切欠き３０が設けられ、この切欠き３０がロック金具２６のストッパーとなる。このストッパーとなる切欠き３０は貫通孔２４より基側に位置している。図１に示すように、ロック金具２６が水平状態から一方向Ｘ（即ち、ロック金具２６の先部が上がる方向）に回動可能ではあるが、水平状態から他方向Ｙ（即ち、ロック金具２６の先部が自重によって下がる方向）に回動しないようになっている。
【００１６】
これによって、鉤爪部１８を掛止金具１７内に入れ込んだ状態では、ロック金具２６が取付け板部１４の溝部２０を跨がって水平状態となっており、取付け金具１２、１３を上に引き上げると、ロック金具２６の上端が掛止金具１７の下端に当たってロック状態（即ち、ロック状態が常時保持される）となる。
次に鉤爪部１８を掛止金具１７に入れた状態で、ロック金具２６の先部を上げて、ロック金具２６を一方向に回動すると、ロック金具２６が溝部２０を跨ぐ状態が解除され、取付け金具１２、１３を引き上げて、掛止金具１７から外すことができる。
【００１７】
なお、図１に示すように、左右の仮設支柱１６の間隔は、１８００ｍｍ、１５００ｍｍ、１２００ｍｍ、９００ｍｍ、６００ｍｍと種々の場合があるので、これによって、パイプ１１の長さを決めて、所定長の仮設用手摺りを形成できる。
本発明は前記した実施の形態に限定されるものではなく、本発明の要旨を変更しない範囲でその構成を変更することもできる。
【００１８】
例えば、前記実施の形態においては、取付け板部１４は厚みが例えば６ｍｍの鋼板、ロック金具２６は例えば３．２ｍｍの鋼板によって構成したが、本発明の要旨を変更しない範囲でその板厚を変更できる。
また、ロック金具の動作を確実にするために、スプリングによって所定方向に付勢することもできる。
【符号の説明】
【００１９】
１０：仮設用手摺り、１１：パイプ、１２、１３：取付け金具、１４：取付け板部、１５：切欠き、１６：仮設支柱、１７：掛止金具、１８：鉤爪部、２０：溝部、２１、２２：溶接部、２４：貫通孔、２５：水平ピン、２６：ロック金具、２７：貫通孔、２８：溝、２９：溝底部、３０：切欠き
【図１】
0005820657.tif 000002
【図２】
0005820657.tif 000003
【図３】
0005820657.tif 000004
【図４】
0005820657.tif 000005
【図５】
0005820657.tif 000006